(57)【要約】【課題】効果的なコンテンツ提供システムを提供する。【解決手段】コンテンツ利用者にコンテンツを提供する。コンテンツ利用者に提供されたコンテンツに関する情報を含む個別データを生成する。個別データに含まれる一部または全部の情報をコンテンツ提供者に提供する。例えば、個別データは、コンテンツの検索に関わる情報、コンテンツの購入に関わる情報、コンテンツの使用に関わる情報およびコンテンツの評価に関わる情報の少なくとも一つの情報を含む。コンテンツ利用者におけるコンテンツに関する情報の一元管理が可能となると共に、その情報に含まれる有用な情報をコンテンツ提供者にフィードバックすることが可能となる。【選択図】図２
2020148878.tif 000002
【特許請求の範囲】
【請求項１】
コンテンツ利用者にコンテンツを提供するコンテンツ提供部と、
上記コンテンツ利用者に提供されたコンテンツに関する情報を含む個別データを生成するデータ生成部と、
上記個別データに含まれる一部または全部の情報をコンテンツ提供者に提供するフィードバク部を備える
情報処理装置。
【請求項２】
上記個別データは、上記コンテンツの検索に関わる情報、上記コンテンツの購入に関わる情報、上記コンテンツの使用に関わる情報および上記コンテンツの評価に関わる情報の少なくとも一つの情報を含む
請求項１に記載の情報処理装置。
【請求項３】
上記コンテンツ提供者からコンテンツの入力を受け付けるコンテンツ入力部と、
上記入力が受け付けられたコンテンツを記憶するコンテンツ記憶部をさらに備える
請求項１に記載の情報処理装置。
【請求項４】
上記データ生成部で生成された個別データを記憶するデータ記憶部をさらに備える
請求項１に記載の情報処理装置。
【請求項５】
上記コンテンツ提供部から上記コンテンツ利用者に提供されたコンテンツに対する課金データを生成するコンテンツ課金部をさらに備える
請求項１に記載の情報処理装置。
【請求項６】
上記データ生成部で生成された個別データをデータ利用者に送信し、該データ利用者で生成されたデータを受信するデータ入出力部をさらに備える
請求項１に記載の情報処理装置。
【請求項７】
上記フィードバック部は、上記コンテンツ提供者からのフィードバック設定情報に基づいてフィードバックの時期および/または内容を設定する
請求項１に記載の情報処理装置。
【請求項８】
上記フィードバック部は、上記データ生成部で生成された個別データに基づいて、推奨コンテンツおよび/またはコンテンツの使用態様アドバイスの情報をコンテンツ利用者に提供する
請求項１に記載の情報処理装置。
【請求項９】
上記データ生成部で生成される個別データは、ブロックチェーンのデータ構造とされる
請求項１に記載の情報処理装置。
【請求項１０】
上記コンテンツは、教育用素材である
請求項１に記載の情報処理装置。
【請求項１１】
コンテンツ利用者にコンテンツを提供する手順と、
上記コンテンツ利用者に提供されたコンテンツに関する情報を含む個別データを生成する手順と、
上記個別データに含まれる一部または全部の情報をコンテンツ提供者に提供する手順を有する
情報処理方法。
【請求項１２】
コンピュータを、
コンテンツ利用者にコンテンツを提供するコンテンツ提供手段と、
上記コンテンツ利用者に提供されたコンテンツに関する情報を含む個別データを生成するデータ生成手段と、
上記個別データに含まれる一部または全部の情報をコンテンツ提供者に提供するフィードバク手段として機能させる
プログラム。
【発明の詳細な説明】
【技術分野】
【０００１】
本技術は、情報処理装置、情報処理方法およびプログラムに関し、詳しくは、コンテンツ提供に係る情報処理装置等に関する。
【背景技術】
【０００２】
例えば、特許文献１または特許文献２には、個別のカリキュラムの教材や問題を受講者に提供する教育支援システムや、受講者の受講履歴を講義者にフィードバックさせることができる講義システムが開示されている。
【０００３】
特許文献１には、教育機関の生徒や教育講座の受講者に対し、個別教育教材提供事業者や指導者から優れた教材、問題の提供を受け付けてデータベースに登録蓄積し、そのデータベースを用いて受講者に最適な教材、問題を提供する教育支援システムが開示されている。
【０００４】
特許文献２には、受講者の受講履歴を講義者にフィードバックさせることができる講義システムが開示されている。具体的には、サーバは、受講者からの要求に応じて講義データを送信し、送信した講義データの履歴を受講履歴データとして記憶し、講義者の要求で受講履歴を講義者端末に表示させ、受講履歴データの中から特定の講義データを講義者端末で表示する講義システムが開示されている。
【先行技術文献】
【特許文献】
【０００５】
【特許文献１】特開２００２−０４９２９７号公報
【特許文献２】特開２０１３−０８００７２号公報
【発明の概要】
【発明が解決しようとする課題】
【０００６】
特許文献１に記載される教育支援システムには、提供される教材や試験問題に対して利用者が教材提供事業者などにフィードバックする手段が備わっていない。また、この教育支援システムには、異なる提供形態を有する教材の間で情報を連携する手段が開示されていない。
【０００７】
特許文献２に記載される講義システムは、講義者が入手した受講者の受講履歴を利用するシステムであり、受講者が教材や講義を受講することによって得られた成果や、受講者から講義者に対するフィードバックを活用するものではない。また、この講義システムには、異なる提供形態を有する教材の間で履歴などの情報を連携する手段が開示されていない。
【０００８】
本技術の目的は、効果的なコンテンツ提供システムを提供することにある。
【課題を解決するための手段】
【０００９】
本技術の概念は、
コンテンツ利用者にコンテンツを提供するコンテンツ提供部と、
上記コンテンツ利用者に提供されたコンテンツに関する情報を含む個別データを生成するデータ生成部と、
上記個別データに含まれる一部または全部の情報をコンテンツ提供者に提供するフィードバク部を備える
情報処理装置にある。
【００１０】
本技術においては、コンテンツ提供部により、コンテンツ利用者にコンテンツが提供される。例えば、コンテンツは、教育用素材である、ようにされてもよい。
【００１１】
データ生成部により、コンテンツ利用者に提供されたコンテンツに関する情報を含む個別データが生成される。例えば、個別データは、コンテンツの検索に関わる情報、コンテンツの購入に関わる情報、コンテンツの使用に関わる情報およびコンテンツの評価に関わる情報の少なくとも一つの情報を含む、ようにされてもよい。
【００１２】
フィードバック部により、個別データに含まれる一部または全部の情報がコンテンツ提供者に提供される。
【００１３】
このように本技術においては、コンテンツ利用者に提供されたコンテンツに関する情報を含む個別データを生成し、その個別データに含まれる一部または全部の情報をコンテンツ提供者に提供するものである。そのため、コンテンツ利用者におけるコンテンツに関する情報の一元管理が可能となると共に、その情報に含まれる有用な情報をコンテンツ提供者にフィードバックすることが可能となる。
【００１４】
なお、本技術において、例えば、コンテンツ提供者からコンテンツの入力を受け付けるコンテンツ入力部と、入力が受け付けられたコンテンツを記憶するコンテンツ記憶部をさらに備える、ようにされてもよい。また、本技術において、例えば、データ生成部で生成された個別データを記憶するデータ記憶部をさらに備える、ようにされてもよい。
【００１５】
また、本技術において、例えば、コンテンツ提供部からコンテンツ利用者に提供されたコンテンツに対する課金データを生成するコンテンツ課金部をさらに備える、ようにされてもよい。また、本技術において、例えば、データ生成部で生成された個別データをデータ利用者に送信し、このデータ利用者で生成されたデータを受信するデータ入出力部をさらに備える、ようにされてもよい。
【００１６】
また、本技術において、例えば、フィードバック部は、コンテンツ提供者からのフィードバック設定情報に基づいてフィードバックの時期および/または内容を設定する、ようにされてもよい。また、本技術において、例えば、フィードバック部は、データ生成部で生成された個別データに基づいて、推奨コンテンツおよび/またはコンテンツの使用態様アドバイスの情報をコンテンツ利用者に提供する、ようにされてもよい。
【００１７】
また、本技術において、例えば、データ生成部で生成される個別データは、ブロックチェーンのデータ構造とされてもよい。これにより、個別データの不正書き換え、改ざんに対する耐性を高くすることが可能となる。
【図面の簡単な説明】
【００１８】
【図１】本技術の概要を説明するための図である。
【図２】実施の形態としてのコンテンツ提供システムの構成例を示すブロック図である。
【図３】個別データのフォーマットの一例を示す図である。
【図４】ブロックチェーンによるデータ連携の一例を示す図である。
【図５】コンテンツ提供システムで扱うコンテンツが教育用素材である場合について説明するための図である。
【図６】コンテンツ提供システムのハードウェア構成例を示すブロック図である。
【発明を実施するための形態】
【００１９】
以下、発明を実施するための形態（以下、「実施の形態」とする）について説明する。なお、説明は以下の順序で行う。
１．実施の形態
２．変形例
【００２０】
＜１．実施の形態＞
［本技術の概要］
図１は、本技術の概要を示している。本技術に係るコンテンツ提供システム（プラットフォーム）は、サービス事業者が提供するシステムである。このコンテンツ提供システム１００は、複数のコンテンツ提供者、ここではコンテンツ提供者Ａ〜Ｃから、それぞれ、コンテンツＡ〜Ｃが提供される。
【００２１】
コンテンツの提供形態は一つに限定されるものではなく、複数のコンテンツ提供形態が併存していてもよい。例えば、コンテンツが教材（教育素材）である場合には、提供形態として、動画、テキスト、アプリ等が考えられる。
【００２２】
コンテンツ利用者がコンテンツ提供システムに対してコンテンツ検索およびコンテンツ選択の操作を行うことで、コンテンツ提供部から、コンテンツ利用者に対して、検索結果および選択コンテンツの提供がなされる。
【００２３】
コンテンツ利用者におけるコンテンツの使用に伴って、コンテンツ提供システムには使用履歴、評価等の情報が提供される。コンテンツ提供システムは、データ生成部で、コンテンツ利用者に提供されたコンテンツに関する情報を含む個別データを、例えば、ブロックチェーンのデータ構造で生成する。この個別データには、コンテンツの検索に関わる情報、コンテンツの購入に関わる情報、コンテンツの使用に関わる情報およびコンテンツの評価に関わる情報の少なくとも一つの情報が含まれる。
【００２４】
コンテンツ提供システムは、フィードバック部で、個別データに含まれる一部または全部の情報を、コンテンツ提供者にフィードバック情報として提供する。この場合、フィードバック部は、コンテンツ提供者からのフィードバック設定情報に基づいて、フィードバックの時期や内容を設定する。
【００２５】
また、コンテンツ提供システムの、例えば、フィードバック部は、個別データに基づいて推奨コンテンツや使用態様アドバイスの情報を生成し、その情報をコンテンツ利用者に提供する。
【００２６】
このようにコンテンツ提供システムは、複数のコンテンツ提供者からのコンテンツを取り扱うものであり、複数のコンテンツ提供者からのコンテンツを一元的に管理でき、それらのコンテンツの間での情報の連携が容易に可能となる。また、コンテンツ利用者は、複数のコンテンツ提供者のコンテンツを購入して使用する場合であっても、コンテンツ提供システムに対して決済処理をすることで簡単に済ますことが可能となる。
【００２７】
［コンテンツ提供システムの構成例］
図２は、実施の形態としてのコンテンツ提供システム１００の構成例を示している。コンテンツ提供システム１００は、コンテンツ入力部１０１と、コンテンツ記憶部１０２と、コンテンツ提供部１０３と、コンテンツ課金部１０４と、フィードバック部１０５と、データ生成部１０６と、データ記憶部１０７と、データ入出力部１０８を有している。
【００２８】
コンテンツ入力部１０１は、コンテンツ提供者（コンテンツ提供事業者）からのコンテンツ情報の入力を受け付ける。コンテンツ情報は、コンテンツそのものだけではなく、コンテンツのカテゴリ、想定される利用者、価格、消費に掛かる時間など、そのコンテンツに関わる他の情報も含む。
【００２９】
コンテンツ記憶部１０２は、コンテンツ入力部１０１で入力が受け付けられたコンテンツ情報を記憶し、外部からの指示に応じて提供する。
【００３０】
コンテンツ提供部１０３は、コンテンツ利用者からの指示に基づき、コンテンツ記憶部１０２に記憶されているコンテンツの中からコンテンツ利用者の指示に応じた応答を提示する。例えば、コンテンツ利用者からの指示に基づき、提供可能なコンテンツの検索結果や選択されたコンテンツの詳細内容を提示し、コンテンツ利用者が選択したコンテンツをコンテンツ記憶部１０２から読み出してコンテンツ利用者に提供する。
【００３１】
コンテンツ課金部１０４は、コンテンツ提供部１０３からコンテンツ利用者に提供されたコンテンツに対する課金情報を受け付け、その課金情報に基づいて行われた決済に関する決済情報をコンテンツ提供部１０３へ送信する。コンテンツ提供部１０３は、課金情報の生成では、課金すべき対象であるか否かを判断する。
【００３２】
例えば、サブスクリプション形式の場合は、サブスクリプション契約に含まれるコンテンツには課金せず、契約に含まれないコンテンツには課金することになる。商品やサービスを単体で販売する形式の場合は、商品やサービスの価格に各種割引などを適用した上で利用者に課金する。コンテンツ提供部１０３は、コンテンツ課金部１０４から送られてくる決済情報も、コンテンツ利用者に送る。
【００３３】
コンテンツ提供部１０３は、コンテンツ利用者が検索したコンテンツや選択したコンテンツの情報を、コンテンツの検索に関わる情報 (検索履歴)やコンテンツの購入に関わる情報 (購入履歴、決済情報)としてデータ生成部１０６に送信する。なお、コンテンツ提供部１０３は、データ生成部１０６から供給される使用履歴、評価などの情報に基づいて、提供可能なコンテンツの検索結果を表示する際に、コンテンツ利用者の評価が高いコンテンツを優先的に表示したりしてもよい。
【００３４】
データ生成部１０６は、検索履歴や購入履歴に加えて、コンテンツの使用状況や使用態様に関わる情報 (使用履歴)、またはコンテンツの評価に関わる情報 (評価情報)の少なくとも１つの情報を含むデータから個別データを生成する。個別データは、ある特定の一個人、あるいはある特定のグループといった一単位を特定する情報 (個人情報など)、各コンテンツの検索履歴、購入履歴、使用履歴、または評価情報の少なくとも１つを含むものである。
【００３５】
データ記憶部１０７は、データ生成部１０６で生成された個別データを受信して記憶し、必要に応じてデータ生成部１０６に送信する。
【００３６】
フィードバック部１０５は、コンテンツ利用者から使用履歴や評価情報を受信する機能と、コンテンツ提供者に対するフィードバックの時期や内容を設定する機能を有する。フィードバック部１０５は、コンテンツ利用者から受信した使用履歴や評価情報をデータ生成部１０６に送る。
【００３７】
また、フィードバック部１０５は、データ生成部１０６から個別データを受信し、この個別データに含まれる一部または全部の情報を、コンテンツ提供者からの指示に基づいて、コンテンツ提供者に送信する。また、このフィードバック部１０５は、個別データに基づいて、推奨コンテンツやコンテンツの使用態様に関するアドバイスなどの情報をコンテンツ利用者に送信する。
【００３８】
フィードバック部１０５は、コンテンツ提供者からのフィードバック設定情報に基づいて、フィードバックの時期や内容を設定する。これにより、コンテンツの特性毎にフィードバックの時期を変更したり、フィードバックの内容を変更したりすることが適応的に可能となる。
【００３９】
例えば、コンテンツが映画の場合、映画を見終わった時点でその内容を評価することが可能であるため、コンテンツを消費した時点でのフィードバックが可能である。フィードバックする内容は、その映画に対する主観的な感想だけではなく、リモコンなどの機器操作の履歴 (繰り返して鑑賞したシーンがあったか、スキップや早送りなどで飛ばしたシーンがあったか)等を収集して評価項目としてフィードバックできる。
【００４０】
一方で、コンテンツがテキストや講義映像等の教育用素材の場合は、テキストを読み終えた時点や講義映像を見終えた時点において、その内容のレベルや理解度を評価することは可能である。しかし、その教育用素材が成績向上という主目的に資するものであったか否かは、その教育用素材が取り扱う分野の試験等の結果が判明するまでは判断できない。すなわち、コンテンツを消費した時点では完全なフィードバックが不可能となる。従って、どの時期にどの内容のフィードバックが行われるべきであるかを設定できるようにすることは、そのフィードバック内容を活用する場合には重要な機能である。
【００４１】
データ入出力部１０８は、コンテンツ提供システム１００の内部で個別データを利用するだけではなく、コンテンツ提供システム１００の外部でも個別データを活用できるようにするために、データ利用者（システム利用者）との間でデータの送受信を行う機能を有する。この場合、データ入出力部１０８は、個別データをデータ利用者に送信し、データ利用者で生成されたデータ（戻りデータ）を受信する。
【００４２】
この戻りデータは、例えば、データ記憶部１０７に送られ、個別データに付加されて記憶される。この戻りデータとしては、個別データの解析データ、個別データの解析結果に基づいて得られたコンテンツ利用者への提案情報、個別データの解析結果に基づいて得られたリクルーティング情報などが考えられるが、これに限定されるものではない。なお、戻りデータがない場合もあり得る。
【００４３】
なお、図２に示すコンテンツ提供システム１００において、コンテンツ入力部１０１、コンテンツ記憶部１０２、コンテンツ課金部１０４、データ記憶部１０７およびデータ入出力部１０８の一部または全部は、コンテンツ提供システム１００の外部に存在していてもよい。
【００４４】
図３は、個別データのフォーマットの一例を示している。個別データは、上述したようにブロックチェーンのデータ構造とされる。ブロックチェーンとすることで、データの不正書き換え、改ざんに対する耐性を高くできる。なお、更新履歴には、全コンテンツに関する更新前の情報も併せて記録される。
【００４５】
個別データには、コンテンツ利用者の情報 (I)、コンテンツの検索履歴 (S)、コンテンツ情報 (C)、購入履歴 (P)、決済情報 (Y)、コンテンツのフィードバック設定 (F)、使用履歴 (U)、評価情報 (E)、または外部のデータ利用者が付加した利用者に関する情報 (A) の少なくとも１つの情報が含まれる。
【００４６】
コンテンツ利用者の情報とは、利用者本人の氏名や連絡先などのいわゆる個人情報、個別データの利用許諾範囲の設定情報などである。利用許諾範囲とは、例えば、「個別データを記憶するか否か」、「記憶する場合は外部に開示するか否か」、「開示する場合はどの情報を誰に開示し何に使用して良いか」という利用者の設定である。また、コンテンツ利用者の情報の中にクレジットカードや銀行口座などの決済に関する情報が含まれていても構わないが、セキュリティの観点からは個別データの中には含まれていない方が望ましい。なお、ここでいうコンテンツ利用者は一個人である必要はなく、例えば学校の一クラスなどの一定の集団でも構わない。
【００４７】
コンテンツの検索履歴とは、コンテンツ利用者が検索したコンテンツなどの情報の履歴である。映画や書籍などのメディアや媒体に関係なく、ユーザが記憶することを許可した全ての検索履歴を含む。コンテンツ情報とは、上述のように、コンテンツそのものだけではなく、カテゴリ、想定対象、価格、消費にかかる時間など、そのコンテンツに関わる他の情報を含む。
【００４８】
購入履歴とは、コンテンツ利用者が購入したコンテンツの名称、カテゴリなどのコンテンツ情報だけではなく、購入した日時、購入経路、そのコンテンツに異なる態様 (フォーマット違いやバージョン違いなど) がある場合はその態様である。決済情報とは、購入金額などの決済に関わる情報である。
【００４９】
コンテンツのフィードバック設定とは、上述のように、コンテンツ提供者に対するフィードバックを行う時期や内容を設定した情報である。使用履歴とは、そのコンテンツの使用、消費の開始日時と終了日時、途中に中断があればその日時、早送りや巻き戻しといった操作に関する情報である。さらに、そのコンテンツを使用、消費することで利用者自身に生じた変化や利用者の周辺に生じた変化に関する情報を含んでいてもよい。例えば、コンテンツが映画や音楽の場合、利用者自身の心拍や体温などの生体情報の変化がこれに該当する。
【００５０】
評価情報とは、そのコンテンツに対する利用者の評価に関する情報である。利用者の主観的な感想だけではなく、客観的、定量的な評価を含んでいてもよい。例えば、コンテンツが教育用素材の場合、その分野における試験の成績の変化がこれに該当する。
【００５１】
外部のデータ利用者が付加した利用者に関する情報とは、コンテンツ提供システム１００内で生成される個別データを外部のデータ利用者が利用、分析して得られた情報である。例えば、コンテンツ利用者の得意な科目に関する情報を参照することにより、大学などが推薦入試を申し出たり、奨学金を申し出たりした情報など、コンテンツ提供システム１００内では直接は生成されない情報を指す。
【００５２】
上述の各項目で構成される個別データは、利用者個人に1つの個別データが割り当てられることで、複数のコンテンツに対して一元的なデータ管理が可能になる。上述のように、利用者個人だけではなく、特定のグループ毎に個別データを作成しても構わない。
【００５３】
また、個別データをデータベース形式で作成してコンテンツ提供システム１００の内部で利用する形態に限られない。例えば、個別データをブロックチェーンとして管理することで、コンテンツ提供システム１００の内部でデータを一元管理するのではなく、他のシステムとも連携して分散管理するような形態を採用することが可能となる。
【００５４】
また、分散管理することで個別データに対する改ざんが困難となるメリットも得られる。併せて、個別データを他のシステムと連携させて多様な目的で活用することも可能となる。ブロックチェーンを採用する場合は、個別データ内の過去の情報を全て含めた形で新たなブロックを生成し連結させてもよい。
【００５５】
図４は、ブロックチェーンによるデータ連携の一例を示している。図示の例は、業界団体が提供する１つのコンテンツ提供システム１００を、団体に加盟する複数の事業者、この例ではＸ，Ｙ，Ｚの３事業者が利用するケースを示している。各事業者は、コンテンツ提供システム１００で記憶する個別データ群を分散管理する。
【００５６】
ここで、各コンテンツ利用者の個別データに事業者が必要な情報を追加したい場合、別の事業者やコンテンツ提供システム等のノードにハッシュ値を計算してもらい、元のブロックに新たなブロックを追加する。データが改ざんされた場合にはその検出が可能であることから、データの改ざんが事実上不可能となり、個別データの正当性、真正性が高まる。
【００５７】
図５は、コンテンツ提供システム１００で扱うコンテンツが教育用素材である場合について具体的に記載したものである。この図５において、図２と対応する部分には同一符号を付し、適宜その詳細説明は省略する。
【００５８】
コンテンツ入力部１０１は、教育素材提供者（教育素材提供事業者）から教育用素材情報の入力を受け付ける。教育用素材情報とは、教育用素材そのものだけではなく、科目、想定利用者の年齢やレベル、価格、学習に必要な時間など、その教育用素材に関わる他の情報を含む。
【００５９】
コンテンツ記憶部１０２は、コンテンツ入力部１０１で入力が受け付けられた教育用素材情報を記憶し、外部からの指示に応じて提供する。
【００６０】
コンテンツ提供部１０３は、コンテンツ利用者からの指示に基づき、コンテンツ記憶部１０２に記憶されている教育用素材の中からコンテンツ利用者の指示に応じた応答を提示する。例えば、コンテンツ利用者からの指示に基づき、提供可能な教育用素材の検索結果や選択された教育用素材の詳細内容を提示し、コンテンツ利用者が選択した教育用素材をコンテンツ記憶部１０２から読み出してコンテンツ利用者に提供する。例えば、英語の上級者用教育用素材を検索すると、提供可能な教育用素材の中から、上級者向けのテキスト、参考書、講義映像、アプリなどの一覧が表示される。
【００６１】
コンテンツ課金部１０４は、コンテンツ提供部１０３からコンテンツ利用者に提供された教育用素材に対する課金情報を受け付け、その課金情報に基づいて行われた決済に関する決済情報をコンテンツ提供部１０３へ送信する。コンテンツ提供部１０３は、課金情報の生成では、課金すべき対象であるか否かを判断する。
【００６２】
例えば、コンテンツ利用者がサブスクリプション形式で契約している範囲の教育用素材を購入する場合は課金せず、契約に含まれない教育用素材を購入する場合には課金することになる。商品やサービスを単体で販売する形式の場合は、商品やサービスの価格に各種割引などを適用した上で利用者に課金する。コンテンツ提供部１０３は、コンテンツ課金部１０４から送られてくる決済情報も、コンテンツ利用者に送る。
【００６３】
コンテンツ提供部１０３は、コンテンツ利用者が検索した教育用素材や選択した教育用素材の情報を、教育用素材の検索に関わる情報 (検索履歴)や教育用素材の購入に関わる情報 (購入履歴、決済情報)としてデータ生成部１０６に送信する。なお、コンテンツ提供部１０３は、データ生成部１０６から供給される使用履歴、評価、成績などの情報に基づいて、提供可能な教育用素材の検索結果を表示する際に、コンテンツ利用者の評価が高い教育用素材を優先的に表示したりしてもよい。
【００６４】
データ生成部１０６は、検索履歴、購入履歴、教育用素材の使用履歴、教育用素材の評価情報の少なくとも１つの情報を含むデータから個別データを生成する。個別データは、ある特定の一個人等に対する教育用素材の検索履歴、購入履歴、使用履歴または評価情報の少なくとも１つを含むものである。使用履歴には、各教育用素材の使用開始時期、中断時期、終了時期が含まれる。書籍の場合は単元やページといった単位で、講義映像の場合はチャプターや映像の経過時間といった単位で、アプリの場合は進捗度や使用時間といったものが挙げられる。評価情報には、その教育用素材を使用したことで生じた成績の変化などの情報が含まれる。
【００６５】
データ記憶部１０７は, データ生成部１０６で生成された個別データを受信して記憶し、必要に応じてデータ生成部１０６に送信する。
【００６６】
フィードバック部１０５は、コンテンツ利用者から使用履歴や評価情報を受信する機能と、コンテンツ提供者に対するフィードバックの時期や内容を設定する機能を有する。フィードバック部１０５は、コンテンツ利用者から受信した使用履歴や評価、成績を、データ生成部１０６に送る。
【００６７】
また、フィードバック部１０５は、データ生成部１０６から個別データを受信し、この個別データに含まれる一部または全部の情報を、コンテンツ提供者からの指示に基づいて、コンテンツ提供者に送信する。また、このフィードバック部１０５は、使用履歴、評価、成績などの情報に基づいて、コンテンツ利用者に、新たな教育用素材の推奨や既に購入した教育用素材の効率的、効果的な使用方法に関するアドバイスなどの情報をコンテンツ利用者に送信する。
【００６８】
フィードバック部１０５は、コンテンツ提供者からのフィードバック設定情報に基づいて、フィードバックの時期や内容を設定する。これにより、教育用素材の特性毎にフィードバックの時期を変更したり、フィードバックの内容を変更したりすることが適応的に可能となる。
【００６９】
情報処理装置としてのコンテンツ提供システム１００のハードウェア構成例について説明する。図６は、コンテンツ提供システム１００のハードウェア構成例を示している。
【００７０】
コンテンツ提供システム１００は、ＣＰＵ４０１と、ＲＯＭ４０２と、ＲＡＭ４０３と、バス４０４と、入出力インターフェース４０５と、入力部４０６と、出力部４０７と、記憶部４０８と、ドライブ４０９と、接続ポート４１０と、通信部４１１を有している。なお、ここで示すハードウェア構成は一例であり、構成要素の一部が省略されてもよい。また、ここで示される構成要素以外の構成要素をさらに含んでもよい。
【００７１】
ＣＰＵ４０１は、例えば、演算処理装置または制御装置として機能し、ＲＯＭ４０２、ＲＡＭ４０３、記憶部４０８、またはリムーバブル記録媒体５０１に記録された各種プログラムに基づいて各構成要素の動作全般又はその一部を制御する。
【００７２】
ＲＯＭ４０２は、ＣＰＵ４０１に読み込まれるプログラムや演算に用いるデータ等を格納する手段である。ＲＡＭ４０３には、例えば、ＣＰＵ４０１に読み込まれるプログラムや、そのプログラムを実行する際に適宜変化する各種パラメータ等が一時的または永続的に格納される。
【００７３】
ＣＰＵ４０１、ＲＯＭ４０２、ＲＡＭ４０３は、バス４０４を介して相互に接続される。一方、バス４０４には、入出力インターフェース４０５を介して種々の構成要素と接続される。
【００７４】
入力部４０６には、例えば、マウス、キーボード、タッチパネル、ボタン、スイッチ、及びレバー等が用いられる。さらに、入力部４０６としては、赤外線やその他の電波を利用して制御信号を送信することが可能なリモートコントローラ（以下、リモコン）が用いられることもある。
【００７５】
出力部４０７には、例えば、ＣＲＴ（Ｃａｔｈｏｄｅ  Ｒａｙ  Ｔｕｂｅ）、ＬＣＤ、又は有機ＥＬ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。
【００７６】
記憶部４０８は、各種のデータを格納するための装置である。記憶部４０８としては、例えば、ハードディスクドライブ（ＨＤＤ）等の磁気記憶デバイス、半導体記憶デバイス、光記憶デバイス、または光磁気記憶デバイス等が用いられる。
【００７７】
ドライブ４０９は、例えば、磁気ディスク、光ディスク、光磁気ディスク、又は半導体メモリ等のリムーバブル記録媒体５０１に記録された情報を読み出し、またはリムーバブル記録媒体５０１に情報を書き込む装置である。
【００７８】
リムーバブル記録媒体５０１は、例えば、ＤＶＤメディア、Ｂｌｕ−ｒａｙ（登録商標）メディア、ＨＤ  ＤＶＤメディア、各種の半導体記憶メディア等である。もちろん、リムーバブル記録媒体５０１は、例えば、非接触型ＩＣチップを搭載したＩＣカード、または電子機器等であってもよい。
【００７９】
接続ポート４１０は、例えば、ＵＳＢ（Universal Serial Bus）ポート、ＩＥＥＥ１３９４ポート、ＳＣＳＩ（Small Computer System Interface）、ＲＳ−２３２Ｃポート、または光オーディオ端子等のような外部接続機器５０２を接続するためのポートである。外部接続機器５０２は、例えば、プリンタ、携帯音楽プレーヤ、デジタルカメラ、デジタルビデオカメラ、またはＩＣレコーダ等である。
【００８０】
通信部４１１は、ネットワーク５０３に接続するための通信デバイスであり、例えば、有線または無線ＬＡＮ、Ｂｌｕｅｔｏｏｔｈ（登録商標）、またはＷＵＳＢ（Wireless ＵＳＢ）用の通信カード、光通信用のルータ、ＡＤＳＬ（Asymmetric Digital Subscriber Line）用のルータ、または各種通信用のモデム等である。
【００８１】
上述したように、図２、図５に示すコンテンツ提供システム１００においては、コンテンツの種類や使用態様が多岐に渡っても、コンテンツ自体の情報に加え、コンテンツ利用者におけるコンテンツの検索、購入、使用、評価に関わる情報を含めたコンテンツの一元管理が可能となると共に、その情報に含まれる有用な情報をコンテンツ提供者にフィードバックすることが可能となる。
【００８２】
コンテンツ利用者の第１のメリットとして、複数の購入先から購入した多様なコンテンツを整理して一元管理できることが挙げられる。教育用素材に限定して述べると、教科書、実際の講義、講義映像、アプリなどの異なる教材やメディアを使用していた場合でも、各種教材やメディアの利用状況や利用態様を考慮して、これら教材などの検索、購入、使用、評価に関わる情報の一元管理が可能となる。
【００８３】
コンテンツ利用者の第２のメリットとして、コンテンツ利用者におけるコンテンツの検索、購入、使用、評価に関わる情報も管理されるため、別のコンテンツを推奨されたり、購入済みのコンテンツの利用方法についてアドバイスを受けたりできることが挙げられる。
【００８４】
教育用素材に限定して述べると、同一事業者が提供する商品、サービス、メディアだけではなく、異なる事業者が提供する商品、サービス、メディアであっても、購入した全教育用素材の購入履歴、使用履歴、評価情報が個別データとして記録されている。そのため、他人の個別データと当人の個別データを比較、分析することにより、コンテンツ利用者は別の教育用素材を推奨されたり、成績改善に向けた教育用素材の利用方法についてアドバイスを受けたりすることが可能となる。
【００８５】
コンテンツ提供者（コンテンツ提供事業者）の第１のメリットとして、コンテンツ提供者がフィードバックを得る時期を任意に設定することにより、コンテンツの種類や利用態様に応じた適切なフィードバックを得られることが挙げられる。コンテンツ利用者がコンテンツを利用、消費した時期とコンテンツ提供者がフィードバックを入手できる時期は同じであるとは限らない。コンテンツに応じて適切な時期に適切なフィードバックが得られることは、不正確な情報に基づいたフィードバックが避けられるという点で望ましい。
【００８６】
教育用素材に限定して述べると、教育用素材に対する評価は利用した直後に行える場合もあるが、試験などの結果が判明した後に初めて行える場合もあるため、必ずしも教材の利用、消費のタイミングと正確なフィードバックが行える時期が一致するわけではない。本技術では、教育用素材提供者（教育用素材提供事業者）がフィードバックを得る時期を任意に設定できるため、教育用素材の種類や利用態様に応じた適切なフィードバックを得ることが可能となる。
【００８７】
コンテンツ提供事業者の第２のメリットとして、定量的、客観的な評価に基づいてフィードバックが行われるため、主観的で恣意的な情報によるフィードバックを排除できることが挙げられる。
【００８８】
教育用素材に限定して述べると、利用者が使用した教材によってもたらされ「成績変化」という客観的評価に基づくフィードバックが可能となる。成績は、点数や偏差値といった定量的な指標に基づいて付与されることが多く、教材などの最終的な効果を定量的に計る指標として適切と言える。主観的な情報でも教材などの効果を計ることは可能であるが、成績とは必ずしも関連しない情報に基づいたり、恣意的になるリスクをはらんだりしていることから、正確なフィードバックになるとは限らない。
【００８９】
なお、本明細書に記載された効果はあくまで例示であって限定されるものではなく、また付加的な効果があってもよい。
【００９０】
＜２．変形例＞
添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００９２】
なお、本技術は、以下のような構成もとることができる。
（１）コンテンツ利用者にコンテンツを提供するコンテンツ提供部と、
上記コンテンツ利用者に提供されたコンテンツに関する情報を含む個別データを生成するデータ生成部と、
上記個別データに含まれる一部または全部の情報をコンテンツ提供者に提供するフィードバク部を備える
情報処理装置。
（２）上記個別データは、上記コンテンツの検索に関わる情報、上記コンテンツの購入に関わる情報、上記コンテンツの使用に関わる情報および上記コンテンツの評価に関わる情報の少なくとも一つの情報を含む
前記（１）に記載の情報処理装置。
（３）上記コンテンツ提供者からコンテンツの入力を受け付けるコンテンツ入力部と、
上記入力が受け付けられたコンテンツを記憶するコンテンツ記憶部をさらに備える
前記（１）または（２）に記載の情報処理装置。
（４）上記データ生成部で生成された個別データを記憶するデータ記憶部をさらに備える
前記（１）から（３）のいずれかに記載の情報処理装置。
（５）上記コンテンツ提供部から上記コンテンツ利用者に提供されたコンテンツに対する課金データを生成するコンテンツ課金部をさらに備える
前記（１）から（４）のいずれかに記載の情報処理装置。
（６）上記データ生成部で生成された個別データをデータ利用者に送信し、該データ利用者で生成されたデータを受信するデータ入出力部をさらに備える
前記（１）から（５）のいずれかに記載の情報処理装置。
（７）上記フィードバック部は、上記コンテンツ提供者からのフィードバック設定情報に基づいてフィードバックの時期および/または内容を設定する
前記（１）から（６）のいずれかに記載の情報処理装置。
（８）上記フィードバック部は、上記データ生成部で生成された個別データに基づいて、推奨コンテンツおよび/またはコンテンツの使用態様アドバイスの情報をコンテンツ利用者に提供する
前記（１）から（７）のいずれかに記載の情報処理装置。
（９）上記データ生成部で生成される個別データは、ブロックチェーンのデータ構造とされる
前記（１）から（８）のいずれかに記載の情報処理装置。
（１０）上記コンテンツは、教育用素材である
前記（１）から（９）のいずれかに記載の情報処理装置。
（１１）コンテンツ利用者にコンテンツを提供する手順と、
上記コンテンツ利用者に提供されたコンテンツに関する情報を含む個別データを生成する手順と、
上記個別データに含まれる一部または全部の情報をコンテンツ提供者に提供する手順を有する
情報処理方法。
（１２）コンピュータを、
コンテンツ利用者にコンテンツを提供するコンテンツ提供手段と、
上記コンテンツ利用者に提供されたコンテンツに関する情報を含む個別データを生成するデータ生成手段と、
上記個別データに含まれる一部または全部の情報をコンテンツ提供者に提供するフィードバク手段として機能させる
プログラム。
【符号の説明】
【００９３】
１００・・・コンテンツ提供システム
１０１・・・コンテンツ入力部
１０２・・・コンテンツ記憶部
１０３・・・コンテンツ提供部
１０４・・・コンテンツ課金部
１０５・・・フィードバック部
１０６・・・データ生成部
１０７・・・データ記憶部
１０８・・・データ入出力部
【図１】
2020148878.tif 000003
【図２】
2020148878.tif 000004
【図３】
2020148878.tif 000005
【図４】
2020148878.tif 000006
【図５】
2020148878.tif 000007
【図６】
2020148878.tif 000008